【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
装置であって、
電源電圧にインダクタの第１のノードを選択的に結合するように構成された充電スイッチと、
接地に前記インダクタの前記第１のノードを選択的に結合するように構成された放電スイッチと、
ランプ電圧を生成するように構成された回路と、
前記ランプ電圧に基づいて前記インダクタの第２のノードに結合された負荷における出力電圧を設定するために前記充電スイッチおよび前記放電スイッチを制御するように構成された制御ブロックと、
前記インダクタを通る正電流を感知するための正電流感知ブロックと、ここにおいて、前記回路は、感知された前記正電流に基づいて前記ランプ電圧を生成するように構成される、
前記インダクタを通る負電流を感知するように構成された負電流感知ブロックと、ここにおいて、前記回路は、前記インダクタを通る前記負電流の感知に応じて前記ランプ電圧を調整するようにさらに構成される、
を備え、前記回路は、第１の端子および第２の端子を有する一連のレジスタを備え、前記回路は、前記第１の端子を介して前記正電流感知ブロックの出力を結合し、前記第２の端子を介して前記負電流感知ブロックの出力を結合するように構成される、装置。
【請求項２】
前記充電スイッチは、ＰＭＯＳトランジスタおよびＮＭＯＳトランジスタのうちの１つを備える、請求項１に記載の装置。
【請求項３】
前記負電流感知ブロックは、前記充電スイッチを通る負電流を感知するように構成される、請求項１に記載の装置。
【請求項４】
前記負電流感知ブロックは、負のインダクタ電流に対応する、前記充電スイッチの両端の電圧低下を感知するように構成された増幅器を備える、請求項３に記載の装置。
【請求項５】
前記負電流感知ブロックはさらに、
前記充電スイッチの制御電圧に結合されるフィードスルートランジスタ、ここにおいて、前記増幅器は、前記フィードスルートランジスタに結合される入力端子を有する、
を備え、前記増幅器の出力は、負電流トランジスタに結合され、
前記負電流トランジスタは、前記調整されたランプ電圧に比例する電流を生成するための回路に結合されるドレインを有する、請求項４に記載の装置。
【請求項６】
前記調整されたランプ電圧に比例する電流を生成するための前記回路は、オフセット電流ソースおよびスロープ補償電流ソースを備える、請求項５に記載の装置。
【請求項７】
前記制御ブロックは、前記調整されたランプ電圧に応じて前記充電スイッチのＯＮ期間を調整するようにさらに構成される、請求項１に記載の装置。
【請求項８】
前記制御ブロックは、前記出力電圧を設定するために、線形かつ連続した制御ループシステムを実装するように構成される、請求項１に記載の装置。
【請求項９】
前記充電スイッチおよび前記放電スイッチ、前記制御ブロック、および前記負電流感知ブロックは、バックコンバータに組み込まれ、前記バックコンバータは、平均電力追跡スキーム、スイッチモード充電器に使用されるか、または高速過渡供給バックコンバータとして使用される、請求項１に記載の装置。
【請求項１０】
方法であって、
電源電圧にインダクタの第１のノードを選択的に結合することと、
接地に前記インダクタの前記第１のノードを選択的に結合することと、
第１の端子および第２の端子を有する一連のレジスタを介してランプ電圧を生成することと、
前記ランプ電圧に基づいて前記インダクタの第２のノードに結合された負荷における出力電圧を設定するために前記選択的な結合を構成することと、
前記インダクタを通る負電流を感知することと、
前記インダクタを通る正電流を感知することと、
前記感知された正電流に基づく第１の電流を前記第１の端子に結合することと、
前記感知された負電流に基づく第２の電流を前記第２の端子に結合することと、
前記インダクタを通る前記負電流の前記感知に応じて前記ランプ電圧を調整することと
を備える、方法。
【請求項１１】
前記インダクタを通る前記負電流を前記感知することは、前記電源電圧に前記インダクタの前記第１のノードを選択的に結合するために充電スイッチを通る負電流を感知することを備える、請求項１０に記載の方法。
【請求項１２】
前記充電スイッチの両端の電圧低下を感知することを備える前記負電流を前記感知することは、前記ランプ電圧を前記調整することに応じて前記充電スイッチのＯＮ期間を調整することをさらに備える、請求項１１に記載の方法。
【請求項１３】
前記充電スイッチは、ＰＭＯＳトランジスタおよびＮＭＯＳトランジスタのうちの１つを備える、請求項１１に記載の方法。
【請求項１４】
前記充電スイッチが前記ＯＮ期間中に前記電源電圧に前記インダクタの前記第１のノードを結合することを可能にする時間間隔の間に、充電スイッチを通る前記負電流を前記感知することが実行される、請求項１１に記載の方法。
【請求項１５】
装置であって、
充電スイッチを通る電源電圧にインダクタの第１のノードを選択的に結合するための手段と、
接地に前記インダクタの前記第１のノードを選択的に結合するための手段と、
第１の端子および第２の端子を有する一連のレジスタを介してランプ電圧を生成するための手段と、
前記ランプ電圧に基づいて前記インダクタの第２のノードに結合された負荷における出力電圧を設定するために前記選択的な結合を構成するための手段と、
前記インダクタを通る正電流を感知し、前記第１の端子に結合された第１の電流を出力するための手段と、
前記インダクタを通る負電流を感知し、前記第２の端子に結合された第２の電流を出力するための手段と、ここにおいて、前記ランプ電圧を前記生成するための手段は、前記インダクタを通る前記負電流の感知に応じて前記ランプ電圧を調整する、
を備える、装置。
【請求項１６】
前記インダクタを通る負電流を前記感知するための手段は、前記充電スイッチを通る負電流を感知するための手段をさらに備える、請求項１５に記載の装置。
【請求項１７】
前記ランプ電圧を前記調整することに応じて前記充電スイッチのＯＮ期間を調整するための手段をさらに備える、請求項１５に記載の装置。
【手続補正２】
【補正対象書類名】明細書
【補正対象項目名】００５６
【補正方法】変更
【補正の内容】
【００５６】
[0063]  開示された例示的な態様の上記説明は、いずれの当業者も、本発明の製造または使用が可能であるように提供される。これらの例示的な態様への様々な修正は、当業者にとって容易に明らかであり、本明細書に定義された一般的な原理は、本発明の精神または範囲から逸脱することなく、他の例示的な態様にも適用され得る。したがって、本開示は、本明細書に示された態様に制限されることが意図されるものではなく、本明細書に開示される原理および新規の特徴と一致する最も広い範囲を与えられるべきものである。
以下に本願発明の当初の特許請求の範囲に記載された発明を付記する。
［Ｃ１］
装置であって、
電源電圧にインダクタの第１のノードを選択的に結合するように構成された充電スイッチと、
接地に前記インダクタの前記第１のノードを選択的に結合するように構成された放電スイッチと、
前記インダクタの第２のノードに結合された負荷における出力電圧を設定するために前記充電スイッチおよび前記放電スイッチを制御するように構成された制御ブロックと、ここで、前記制御ループは、フィルタリングされた誤差電圧を調整されたランプ電圧と比較する比較器を備える、
前記インダクタを通る負電流を感知するように構成された負電流感知ブロックと、
を備え、
前記調整されたランプ電圧は、感知された負電流に応じて前記調整されたランプ電圧を低減させる付加的な項を備える、装置。
［Ｃ２］
前記インダクタを通る正電流を感知するための正電流感知ブロックをさらに備え、前記調整されたランプ電圧はさらに、感知された正電流に応じて前記調整されたランプ電圧を増加させる付加的な項を備える、Ｃ１に記載の装置。
［Ｃ３］
前記充電スイッチは、ＰＭＯＳトランジスタを備え、前記放電スイッチは、ＮＭＯＳトランジスタを備える、Ｃ１に記載の装置。
［Ｃ４］
前記負電流感知ブロックは、前記充電スイッチを通る負電流を感知するように構成される、Ｃ１に記載の装置。
［Ｃ５］
前記負電流感知ブロックは、負のインダクタ電流に対応する、前記充電スイッチの両端の電圧低下を感知するように構成された増幅器を備える、Ｃ４に記載の装置。
［Ｃ６］
前記負電流感知ブロックはさらに、
前記充電スイッチの制御電圧に結合されるフィードスルートランジスタと、ここにおいて、前記増幅器は、前記フィードスルートランジスタに結合される入力端子を有し、
負電流トランジスタに結合された前記増幅器の前記出力と、
を備え、
前記負電流トランジスタは、前記調整されたランプ電圧に比例する電流を生成するための回路に結合されるドレインを有する、
Ｃ５に記載の装置。
［Ｃ７］
前記調整されたランプ電圧に比例する電流を生成するための前記回路は、オフセット電流ソース、キャパシタＣ１、およびスロープ補償電流ソースを備える、Ｃ６に記載の装置。
［Ｃ８］
前記充電スイッチは、ＮＭＯＳトランジスタを備える、Ｃ１に記載の装置。
［Ｃ９］
前記制御ブロックは、前記出力電圧を設定するために、線形かつ連続した制御ループシステムを実装するように構成される、Ｃ１に記載の装置。
［Ｃ１０］
前記スイッチ、制御ブロック、および負電流感知ブロックは、バックコンバータに組み込まれ、前記バックコンバータは、平均電力追跡スキーム、スイッチモード充電器に使用されるか、または高速過渡供給バックコンバータとして使用される、Ｃ１に記載の装置。
［Ｃ１１］
方法であって、
電源電圧にインダクタの第１のノードを選択的に結合することと、
接地に前記インダクタの前記第１のノードを選択的に結合することと、
前記インダクタの第２のノードに結合された負荷における出力電圧を設定するために前記選択的な結合を構成することと、ここで、前記構成することは、フィルタリングされた誤差電圧を調整されたランプ電圧と比較することを備える、
前記インダクタを通る負電流を感知することと、
を備え、
前記調整されたランプ電圧は、感知された負電流に応じて低減される、方法。
［Ｃ１２］
前記インダクタを通る正電流を感知すること
をさらに備え、
前記調整されたランプ電圧は、感知された正電流に応じて増加される、Ｃ１１に記載の方法。
［Ｃ１３］
前記インダクタを通る前記負電流を前記感知することは、前記電源電圧に前記インダクタの前記第１のノードを選択的に結合するために充電スイッチを通る負電流を感知することを備える、Ｃ１１に記載の方法。
［Ｃ１４］
前記負電流を感知することは、前記充電スイッチの両端の電圧低下を感知することを備える、Ｃ１３に記載の方法。
［Ｃ１５］
前記充電スイッチは、ＰＭＯＳトランジスタを備える、Ｃ１３に記載の方法。
［Ｃ１６］
前記充電スイッチが前記電源電圧に前記インダクタの前記第１のノードを結合することを可能にする時間間隔の間に、充電スイッチを通る前記負電流を前記感知することが実行される、Ｃ１３に記載の方法。
［Ｃ１７］
装置であって、
電源電圧にインダクタの第１のノードを選択的に結合するための手段と、
接地に前記インダクタの前記第１のノードを選択的に結合するための手段と、
前記インダクタの第２のノードに結合された負荷における出力電圧を設定するために前記選択的な結合を構成するための手段と、ここで、前記構成することは、フィルタリングされた誤差電圧を調整されたランプ電圧と比較することを備える、
前記インダクタを通る負電流を感知するための手段と
を備える、装置。
［Ｃ１８］
前記インダクタを通る正電流を感知するための手段をさらに備える、Ｃ１７に記載の装置。
［Ｃ１９］
前記インダクタを通る負電流を感知するための前記手段は、前記充電スイッチを通る負電流を感知するための手段をさらに備える、Ｃ１７に記載の装置。
［Ｃ２０］
前記充電スイッチを通る負電流を感知するための前記手段は、前記充電スイッチの両端の電圧低下を感知するための手段を備える、Ｃ１９に記載の装置。